(57)【要約】【課題】水洗トイレのロータンクの手洗い部に載置され、ロータンク内に薬剤を供給する薬剤供給具について、薬剤供給具が手洗い部で転倒しても、薬剤供給具の外面が手洗い部の排水口を塞がないようにする。【解決手段】水洗トイレのロータンクの手洗い部１に載置され、手洗い部１に供給される手洗水によりロータンク内に薬剤を供給する薬剤供給具１０に排水用補助具１００Ａを取り付ける。排水用補助具１００Ａは、薬剤供給具１０に、その外面と隙間を形成しつつ外面に沿うように取着される棒状部材からなり、排水用補助具１００Ａを取り付けた薬剤供給具１０が手洗い部１で転倒状態である場合に、手洗い部１の表面に当接し、薬剤供給具１０の外面と手洗い部１の表面との間に排水用の空間を形成する。【選択図】図１
2008013943.tif 000002
【特許請求の範囲】
【請求項１】
水洗トイレのロータンクの手洗い部に載置され、手洗い部に供給される手洗水によりロータンク内に薬剤を供給する薬剤供給具に、その外面と隙間を形成しつつ外面に沿うように取着される棒状部材からなる排水用補助具であって、該排水用補助具を取り付けた薬剤供給具が手洗い部で転倒状態である場合に、前記棒状部材が手洗い部の表面に接し、薬剤供給具の外面と手洗い部の表面との間に排水用の空間を形成する排水用補助具。
【請求項２】
薬剤供給具に取り付けた状態で、薬剤供給具の天面中央部に棒状部材が位置しない請求項１記載の排水用補助具。
【請求項３】
薬剤供給具に取り付けた状態で、薬剤供給具の正面、天面及び背面にかかる一対の曲線状棒状部分を有する請求項１又は２記載の排水用補助具。
【請求項４】
薬剤供給具に取り付けた状態で、薬剤供給具の正面と背面に位置する一対の曲線状棒状部分を有する請求項１〜３のいずれかに記載の排水用補助具。
【請求項５】
棒状部材が、弾性変形可能なプラスチック材料からなり、薬剤供給具に着脱自在である請求項１〜４のいずれかに記載の排水用補助具。
【請求項６】
水洗トイレのロータンクの手洗い部に載置され、手洗い部に供給される手洗水によりロータンク内に薬剤を供給する薬剤供給具と、請求項１〜５のいずれかに記載の排水用補助具からなる排水用補助具付薬剤供給具。
【発明の詳細な説明】
【技術分野】
【０００１】
本発明は、水洗トイレのロータンクの手洗い部に載置され、手洗い部に供給される手洗水によりロータンク内に薬剤を供給する薬剤供給具に取り付けられ、薬剤供給具が転倒した場合でも、手洗い部の排水が滞ることを防止する排水用補助具に関する。
【背景技術】
【０００２】
水洗トイレのロータンクの手洗水を利用して固体又は液体の薬剤をロータンク内に供給する薬剤供給具がある。
【０００３】
このような薬剤供給具では、手洗い部の上方のカランから供給された手洗水が薬剤供給具の外面に沿って流れることが妨げられたり、水ハネしたりしないように、一般に、天面や側面が概ね滑らかな曲面で構成されている。また、手洗水のロータンクへの排水が妨げられないように、正立状態で手洗い部に載置された薬剤供給具とロータンクの手洗い部の表面との間に排水用の空間を確保する脚が設けられており、さらに、水流によって薬剤供給具が転倒しないように、手洗い部の排水口に挿入される突出部が設けられているものもある（特許文献１，特許文献２、特許文献３）
【特許文献１】特開２００５−２７３３４９号公報
【特許文献２】特開２００４−３００６６５号公報
【特許文献３】特開２００１−３４２６６８号公報
【発明の開示】
【発明が解決しようとする課題】
【０００４】
しかしながら、カランから供給される水量が極端に多いと、薬剤供給具が浮き上がり、水の勢いによって転倒する場合があり、また、ロータンクの手洗水を利用して手を洗う際に、手で薬剤供給具を引っかけてしまうことによっても転倒する場合がある。
【０００５】
薬剤供給具が転倒し、その滑らかな曲面からなる外面が排水口に被さると、排水用の空間を十分に確保することができず、手洗い部から水が溢れ出る虞がある。
【０００６】
これに対し、本発明は薬剤供給具が手洗い部で所定の載置状態からはずれたり、転倒して逆さまになったり、横倒しになったりしても、薬剤供給具の外面が手洗い部の排水口を塞がないようにすることを目的とする。
【課題を解決するための手段】
【０００７】
本発明者は、薬剤供給具の外面と隙間をあけつつ、その外面に沿うように棒状部材を取着すると、薬剤供給具がいずれの方向に傾きあるいは倒れても、棒状部材が、薬剤供給具の外面と排水口との間に排水用の空間を形成するので、手洗い部から手洗水が溢れ出ることを防止でき、かつ、薬剤供給具が手洗い部で正立状態にあるときは、本来の水の流れを阻害せず、水ハネも生じないことを見出した。
【０００８】
即ち、本発明は、水洗トイレのロータンクの手洗い部に載置され、手洗い部に供給される手洗水によりロータンク内に薬剤を供給する薬剤供給具に、その外面と隙間を形成しつつ外面に沿うように取着される棒状部材からなる排水用補助具であって、該排水用補助具を取り付けた薬剤供給具が手洗い部で転倒状態である場合に、前記棒状部材が手洗い部の表面に接し、薬剤供給具の外面と手洗い部の表面との間に排水用の空間を形成する排水用補助具を提供する。
【０００９】
また、本発明は、水洗トイレのロータンクの手洗い部に載置され、手洗い部に供給される手洗水によりロータンク内に薬剤を供給する薬剤供給具と、上述の排水用補助具からなる排水用補助具付薬剤供給具を提供する。
【発明の効果】
【００１０】
水洗トイレのロータンクの手洗い部に載置され、手洗い部に供給される手洗水によりロータンク内に薬剤を供給する薬剤供給具に、本発明の排水用補助具を取り付けると、手洗い部に多量の水が供給されることにより、あるいは手洗いの際に手で薬剤供給具を引っかけてしまうことにより、薬剤供給具が所定の載置状態からはずれたり、転倒して逆さまになったり、横倒しになったりしても、排水用補助具の棒状部材が、薬剤供給具の外面と手洗い部の排水口との間に排水用の空間を確保するので、手洗水が手洗い部から溢れ出ることを防止できる。
【００１１】
また、薬剤供給具の外面に架け渡される排水用補助具の棒状部材の形状は、薬剤供給具ごとに適宜定めることができるので、薬剤供給具が手洗い部で正立状態にあるときにも、排水用補助具を取り付けない状態で薬剤供給具を手洗い部に載置したのと同様に、手洗い部にスムーズに水を流し、水ハネを生じさせないようにすることができる。
【００１２】
さらに、この排水用補助具は、薬剤供給具の外面に架け渡される棒状部材からなり、薬剤供給具を広く覆うものではないため、これを取り付けた薬剤供給具は、元々の薬剤供給具のデザインを損なわない。
【００１３】
そして、この排水用補助具は、種々の薬剤供給具の形状に合わせて容易に製造することができるため、元々の薬剤供給具の仕様を変更することが不要であり、また、薬剤供給具の一般ユーザーが容易に脱着することができるので、水洗トイレの形状やカランからの水の出方などの使用環境に応じて使用することができる。
【発明を実施するための最良の形態】
【００１４】
以下、本発明を図面を参照しつつ詳細に説明する。なお、各図中、同一符号は同一又は同等の構成要素を表している。
【００１５】
図１は、薬剤供給具１０に、本発明の一実施例の排水用補助具１００Ａを取り付けたものの正立状態の斜視図であり、図２はこの薬剤供給具１０と排水用補助具１００Ａの斜視図である。また、図３は、排水用補助具１００Ａを取り付けた薬剤供給具１０が、水洗トイレの手洗い部１で正立している状態の斜視図であり、図４は、転倒している状態の斜視図である。
【００１６】
この薬剤供給具１０は、水洗トイレのロータンクの手洗い部１の排水口２上に載置されて使用されるもので、特許文献１に記載の薬液吐出容器と同様に、トイレ用芳香剤、洗浄剤、殺菌剤等の薬液が充填される薬液タンク１１と、その底部開口部に取り付けられたキャップ１２からなっている。
【００１７】
キャップ１２の底部には、薬液吐出ノズル１３がキャップ１２と一体に形成され、薬液吐出ノズル１３の先端に、薬液吐出孔１４が開口している。また、キャップ１２の底部には、薬液吐出ノズル１３の周囲に足１５が設けられ、薬液吐出ノズル１３を中心として放射状に水誘導板１６が設けられており、これらもキャップ１２と一体に形成されている。
【００１８】
この薬剤供給具１０の使用時には、薬液吐出ノズル１３を手洗い部１の排水口２に挿入し、足１５を排水口２の周囲に接地させることにより薬剤供給具１０を正立させる。この状態でカラン３から手洗い部に手洗水が供給されると、その手洗水で薬液吐出孔１４が洗われ、ロータンク内に薬液が供給される。
【００１９】
一方、排水用補助具１００Ａは、弾性変形可能なプラスチックの棒状部材を湾曲させて成形したもので、対向する一対のＣ字状の曲線部分１０１と、この一対のＣ字状の曲線部分１０１を繋ぐ１本の直線部分１０２からなる。
【００２０】
ここで、棒状部材とは、内部が中空になっていない種々の断面形状の棒状の部材の他、内部が中空になっている管状の部材も含む。棒状部材の直径は、排水用補助具１００Ａを取り付けた薬剤供給具１０が手洗い部１で転倒した場合に、棒状部材によって、排水口２と薬剤供給具１０の外面との間に十分な排水用の空間を確保する点から、１.0ｍｍ以上が好ましい。また、棒状部材の直径は、過度に大きくすると排水用補助具１００Ａを取り付けた薬剤供給具１０の全体体積が大きくなるため、手洗いのスペースが少なくなることや手に引っかかり転倒しやすくなるから10．0ｍｍ以下が好ましい。
【００２１】
棒状部材を構成する弾性変形可能なプラスチックとしては、例えば、ポリエチレン・ポリプロピレン・ＡＢＳ樹脂等を使用することができる。なお、本発明では、棒状部材の素材として、塑性変形可能なプラスチックを使用してもよく、金属を使用してもよい。
【００２２】
また、排水用補助具１００Ａを取り付けた薬剤供給具１０が手洗い部１で転倒した場合に、棒状部材によって排水口２と薬剤供給具１０の外面との間に十分な排水用の空間を確保できるようにする点から、排水用補助具１００Ａを薬剤供給具１０に取り付けた状態で、棒状部材は薬剤供給具１０の外面と部分的に接しつつも、多くは薬剤供給具１０の外面と隙間があくように形成されている。より具体的には、この排水用補助具１００Ａは、一対のＣ字状の曲線部分１０１が、それぞれ薬剤供給具１０の底面から正面、天面を経て背面の上部にかかり、その上面縁部と底面縁部に接するように成形されている。また、Ｃ字状の曲線部分１０１内に薬剤供給具１０の端部を嵌められるようにしている。
【００２３】
排水用補助具１００Ａをこのような３次元形状に成形する方法としては、金型を用いて所期の３次元形状に成形する他、金型の抜きを容易にするため、２次元形状であるＣ字状の曲線部分１０１を金型で抜いた後、曲げ加工することにより所期の３次元形状に成形してもよい。
【００２４】
この排水用補助具１００Ａは、一対のＣ字状の曲線部分１０１を広げながら薬剤供給具１０に押し込むことにより、図２に矢印で示すように、着脱自在に薬剤供給具１０に取り付けることができる。
【００２５】
図４に示すように、排水用補助具１００Ａを取り付けた後の薬剤供給具１０が転倒すると、排水用補助具１００Ａを構成する棒状部材によって、薬剤供給具１０の外面と排水口２との間に排水用の空間が形成される。かかる空間は、排水用補助具１００Ａを取り付けた後の薬剤供給具１０がいずれの向きで転倒しても形成される。したがって、転倒した薬剤供給具１０の外面が排水口２を塞ぐことはなく、手洗水が手洗い部から溢れ出ることもない。
【００２６】
本発明の排水用補助具は、これを取り付ける薬剤供給具の形状によって、棒状部材が薬剤供給具に取着される態様を種々変更することができる。
【００２７】
例えば、図５の薬剤供給具２０は、特許文献２に記載の薬液供給具と同様に、支持体２１上に薬液が充填される薬液タンク２２と、薬液タンク２２から流出した薬液を貯留する収納室（図示せず）と、収納室に貯留した薬液が溝を介して流れ出す案内板２３とを備えたものである。支持体２１の底面中央部には脚部２４が設けられている。
【００２８】
この薬剤供給具２０の使用時には、脚部２４を手洗い部の排水口に挿入し、薬剤供給具２０を正立させる。この状態でカランから手洗い部に手洗水が供給されると、その手洗水で案内板２３が洗われることによりロータンク内に薬液が供給される。
【００２９】
図６は、図５の薬剤供給具２０に取り付ける排水用補助具１００Ｂの斜視図である。この排水用補助具１００Ｂも弾性変形可能なプラスチックの棒状部材を湾曲させて成形したものであり、薬剤供給具２０の正面、天面及び背面にかかる一対のＵ字状の曲線部分１０１を有している。また、薬剤供給具２０の正面と背面を一対のコ字状の曲線部分１０３で挟むようにしている。
【００３０】
図７Ａは、図６の排水用補助具１００Ｂを、図５の薬剤供給具２０に、その天面側から被せるようにして取り付けたものを正面から観察した斜視図であり、図７Ｂは、それを側面側から観察した斜視図である。
【００３１】
図８に示すように、この排水用補助具１００Ｂを取り付けた薬剤供給具２０も、それが転倒すると、排水用補助具１００Ｂを構成する棒状部材によって、薬剤供給具２０の外面と排水口２との間に排水用の空間が形成され、手洗水が手洗い部から溢れ出ることを防止できる。
【００３２】
図９の薬剤供給具３０は、特許文献３に記載の薬液供給具と同様に、供給具本体３１に薬液が充填される薬液タンク３２と薬液タンク３２から導出した薬液を含浸させる含浸体３３を備え、供給具本体３１の底面中央部に長尺脚部３４を設け、その角隅部に短尺脚部３５を設けたものである。
【００３３】
この薬剤供給具３０の使用時には、長尺脚部３４を手洗い部の排水口に挿入し、短尺脚部３５を排水口の周囲に接地させることにより薬剤供給具３０を正立させる。この状態でカランから手洗い部に手洗水が供給されると、その手洗水で含浸体３３が洗われることによりロータンク内に薬液が供給される。
【００３４】
図１０は、図９の薬剤供給具３０に取り付ける排水用補助具１００Ｃの斜視図である。この排水用補助具１００Ｃは、薬剤供給具３０の正面、天面及び背面にかかる一対の曲線部分１０１がコ字状であり、また、薬剤供給具３０の正面と背面を挟む曲線部分が、コ字状１０３ａとＶ字状１０３ｂである点が前述の排水用補助具１００Ｂと異なっている。
【００３５】
図１１Ａは、図１０の排水用補助具１００Ｃを、図９の薬剤供給具３０に、その天面側から被せるようにして取り付けたものを正面から観察した斜視図であり、図１１Ｂは、それを側面側から観察した斜視図である。
【００３６】
図１２に示すように、この排水用補助具１００Ｃを取り付けた薬剤供給具３０も、それが転倒すると、排水用補助具１００Ｃを構成する棒状部材によって、薬剤供給具１０の外面と排水口２との間に排水用の空間が形成され、手洗水が手洗い部から溢れ出ることを防止できる。
【００３７】
以上、本発明の排水用補助具とそれを取り付けた薬剤供給具を具体的に説明したが、本発明の排水用補助具は、それを取り付ける薬剤供給具に応じてさらに種々の態様をとることができ、薬剤供給具の薬剤供給機構についても制限はない。
【００３８】
例えば、薬剤供給具は、薬液タンクを備えたものに限らず、固形の薬剤を備え、それを手洗水で洗うことにより、ロータンク内に薬剤を供給するものであってもよい。
【産業上の利用可能性】
【００３９】
本発明は、水洗トイレのロータンクの手洗い部に載置される薬剤供給具の分野で有用である。
【図面の簡単な説明】
【００４０】
【図１】薬剤供給具１０に、本発明の一態様の排水用補助具１００Ａを取り付けたものの正立状態の斜視図である。
【図２】薬剤供給具１０と排水用補助具１００Ａの斜視図である。
【図３】排水用補助具１００Ａを取り付けた薬剤供給具１０が、手洗い部で正立している状態の斜視図である。
【図４】排水用補助具１００Ａを取り付けた薬剤供給具１０が、手洗い部で転倒している状態の斜視図である。
【図５】薬剤供給具２０の斜視図である。
【図６】薬剤供給具２０に取り付ける排水用補助具１００Ｂの斜視図である。
【図７Ａ】排水用補助具１００Ｂを取り付けた薬剤供給具２０を正面から観察した斜視図である。
【図７Ｂ】排水用補助具１００Ｂを取り付けた薬剤供給具２０を側面から観察した斜視図である。
【図８】排水用補助具１００Ｂを取り付けた薬剤供給具２０が、手洗い部で転倒している状態の斜視図である。
【図９】薬剤供給具３０の斜視図である。
【図１０】薬剤供給具３０に取り付ける排水用補助具１００Ｃの斜視図である。
【図１１Ａ】排水用補助具１００Ｃを取り付けた薬剤供給具３０を正面から観察した斜視図である。
【図１１Ｂ】排水用補助具１００Ｃを取り付けた薬剤供給具３０を側面から観察した斜視図である。
【図１２】排水用補助具１００Ｃを取り付けた薬剤供給具３０が、手洗い部で転倒している状態の斜視図である。
【符号の説明】
【００４１】
１      手洗い部
２      排水口
３      カラン
１０      薬剤供給具
１１      薬液タンク
１２      キャップ
１３      薬液吐出ノズル
１４      薬液吐出孔
１５      足
１６      水誘導板
２０      薬剤供給具
２１      支持体
２２      薬液タンク
２３      案内板
２４      脚部
３０      薬剤供給具
３１      供給具本体
３２      薬液タンク
３３      含浸体
３４      長尺脚部
３５      短尺脚部
１００Ａ、１００Ｂ、１００Ｃ    排水用補助具
１０１      曲線部分
１０２      直線部分
１０３      曲線部分
【図１】
2008013943.tif 000003
【図２】
2008013943.tif 000004
【図３】
2008013943.tif 000005
【図４】
2008013943.tif 000006
【図５】
2008013943.tif 000007
【図６】
2008013943.tif 000008
【図７Ａ】
2008013943.tif 000009
【図７Ｂ】
2008013943.tif 000010
【図８】
2008013943.tif 000011
【図９】
2008013943.tif 000012
【図１０】
2008013943.tif 000013
【図１１Ａ】
2008013943.tif 000014
【図１１Ｂ】
2008013943.tif 000015
【図１２】
2008013943.tif 000016